(57)【要約】第１の側面によれば本発明は、回転トランスの取付けを格段に容易にするヘッドドラム構成体に関する。このヘッドドラム構成体は、回転しない下部ドラムと回転する上部ドラムを有し、上部ドラムはシャフトにより下部ドラムに固定されている。上部ドラムはシャフトにベアリングによって取り付けられており、有利には２つのボールベアリングにより取り付けられている。回転トランスは、下部ドラムと上部ドラムとの間に配置されており、固定されたステータとロータを有する。ロータは、上部ドラムと連結して回転する。ロータは位置的に固定されずにその位置を永久磁石の磁力により保持され、上部ドラムに収容されている。
2004527867.tif 000002
【特許請求の範囲】
【請求項１】
固定された下部ドラムと、回転する上部ドラムとを有するヘッドドラム構成体であって、
前記上部ドラムはシャフト（６）により下部ドラム（２）に固定されており、
上部ドラム（３）はシャフトにベアリング（７ａ、７ｂ）よって取り付けられており、
当該構成体はさらに２部分からなる回転トランス（４）を有し、
該回転トランスは、下部ドラムと関連して固定されたステータ（１６）と、上部ドラムと関連して共働で回転するロータ（１７）とを有する形式のヘッドドラム構成体において、
永久磁石（２３）が回転トランス（１７）の一部と接触し、当該一部は関連するドラム（３）に永久磁石（２３）の磁界によって保持されている、
ことを特徴とするヘッドドラム構成体。
【請求項２】
回転上部ドラム（３）に配置された永久磁石（２３）が回転トランス（４）のロータ（１７）と接触しており、該ロータは上部ドラムに永久磁石の磁界によって保持されている、請求項１記載のヘッドドラム構成体。
【請求項３】
永久磁石（２３）は上部ドラム（３）の切欠部（２４）に収容されている、請求項１記載のヘッドドラム構成体。
【請求項４】
上部ドラム（３）の切欠部（２４）はベアリング（７ｂ）のシート（１１ｂ）により形成されている、請求項３記載のヘッドドラム構成体。
【請求項５】
永久磁石はベアリング（７ｂ）の回転リング（９ｂ）によって維持されている、請求項１記載のヘッドドラム構成体。
【請求項６】
永久磁石（２３）は回転軸に近接して取り付けられており、上部ドラム（３）の円周面に取り付けられた磁気ヘッドからは離れている、請求項１記載のヘッドドラム構成体。
【請求項７】
永久磁石（２３）の磁化は、ロータ（１７）が確実に上部ドラムの保持され、かつ永久磁石の磁界が磁気媒体に格納されたデータを変化させたり、磁気ヘッドにより読出された信号または書き込まれた信号に影響を与えることのないよう十分に弱く選択される、請求項１記載のヘッドドラム構成体。
【請求項８】
永久磁石（２３）には構造的エレメント（２７）が設けられており、該エレメントは回転トランス（４）の前記一部（１７）に対するセンタリング手段として作用する、請求項１記載のヘッドドラム構成体。
【請求項９】
請求項１から８までのいずれか１項記載のヘッドドラム構成体を装備した磁気テープ記録装置。
【発明の詳細な説明】
【０００１】
本発明は、磁気テープ装置用のヘッドドラムに関する。本発明は、請求項１の上位概念によるヘッドドラムに基づくものである。以下の明細書中で、磁気テープ装置とは、信号、データまたは情報がアナログおよび／またはデジタル形式で磁気テープに記録され、および／またはこれから読出す装置を意味する。これとは別に本発明の装置はまた別の機能を有することができ、例えば電子カメラと組み合わせることができる。第１の側面によれば、本発明は付加的に本発明のヘッドドラムを装備した磁気テープ装置に関する。
【０００２】
一般的にヘッドドラムは、固定された下部ドラムと、回転する上部ドラムを有し、上部ドラムはその端部に１８０゜で配置された少なくとも２つの読出し／書込みヘッドを有する。動作時に磁気テープはヘッドドラムの円周の少なくとも半分と接触する。以下簡単にするため、読出し／書込みヘッドを単に磁気テープから信号を読出すビデオヘッドと称する。しかし本発明はビデオ信号の読み出しにだけ限定されるものではない。
【０００３】
回転ビデオヘッドは信号を磁気テープから読出す。信号は、信号処理回路と接続された固定下部ドラムに伝送しなければならない。信号を回転上部ドラムと固定下部ドラムとの間で伝送するのにブラシを使用することは公知である。しかし実際には伝送される信号は弱く、ブラシにより発生されたノイズが伝送される信号を劣化させる傾向がある。さらにブラシは長期間にわたって信頼性のあるものではない。従って固定ステータと回転ロータを有する回転トランスが信号を回転上部ドラムから固定下部ドラムに伝送するために現代のヘッドドラムでは使用されている。現在のヘッドドラムでは、回転トランスの一部がねじのような機械的手段により固定されているか、または接着剤またはセメントにより固定されている。第１の解決手段は、付加的な素子と接続される部材とのマッチングを必要とする。第２の解決手段は、潜在的な危険製品、例えば可燃性接着剤を取り扱う必要がある。この種の製品には付加的に通常は環境問題も存在する。
【０００４】
従って、回転トランスが簡単でコスト的に有利に固定されたヘッドドラムを提供する必要がある。
【０００５】
ヘッドドラム構成体は、固定された下部ドラムと回転上部ドラムを有し、上部ドラムはシャフトにより接続されており、シャフトは下部ドラムに固定されている。上部ドラムはシャフトにベアリングによって取り付けられている。この構成体はさらに２部分からなる回転トランスを有し、回転トランスは下部ドラムと関連して固定されたステータと、上部ドラムと関連して共働で回転するロータとを有する。永久磁石が回転トランスの一部分と接触しており、この部分は関連のドラム上に永久磁石の磁界によって保持されている。このようにして有利には危険物質や付加的機械素子を使用する必要がなくなる。
【０００６】
本発明の実施例では、永久磁石が回転上部ドラム上に配置されており、この回転上部ドラムは回転トランスのロータと接触しており、ロータは上部ドラムに永久磁石の磁界によって保持されている。ヘッドドラムのコンパクトな構造は、永久磁石を上部ドラムの切欠部に収容すると得られる。
【０００７】
本発明のヘッドドラムの構造は、磁石を収容する切欠部がベアリングのシートにより形成されていると特に簡単である。
【０００８】
ヘッドドラムの読出し／書込みヘッドと関連する磁界およびテープの磁界と、永久磁石の磁界との干渉を回避する必要がある。従って本発明の別の実施例では、永久磁石が回転軸に近接して取り付けられており、上部ドラムの円周面に取り付けられた磁気ヘッドから離されている。
【０００９】
同じ理由から永久磁石の磁化は、ロータが確実に上部ドラムに保持され、永久磁石の磁界が磁気媒体に記憶されたデータを変化させたり、磁気ヘッドによる信号の読出しまたは書込みに影響を与えないよう弱く選択される。
【００１０】
ヘッドドラム構成体の組み立てを簡単にするため、永久磁石に構造エレメントを設け、これが回転トランスの一部分に対するセンタリング手段として作用することができる。回転トランスは永久磁石の磁界によって保持されている。
【００１１】
本発明の第２側面によれれば、磁気テープ記録器が設けられており、この記録器には本発明夜ヘッドドラム構成体が装備されている。
【００１２】
本発明は、図面と関連した以下の説明からさらに良く理解することができる。
【００１３】
図１ａは、本発明のヘッドドラム構成体を示す。
【００１４】
図１ｂは、図１ａの一部を拡大して示す。
【００１５】
図１ａには参照番号１によりヘッドドラム構成体が全体で示されている。ヘッドドラム１は固定ドラムまたは下部ドラム２と回転ドラムまたは上部ドラム３を有する。上部ドラム３はその端部に、読出し／書込みヘッドの一部を１８０゜の構成で支持する。これは図１ａには図示されていない。ヘッドドラム１は複数の読出し／書込みヘッド、例えば４または６のヘッドをヘッドドラムの具体的な適用に依存して収容するように構成することができる。読出しヘッドにより読出された信号は回転上部ドラムから固定下部ドラムへ回転トランス４を介して伝送される。同じように書込みヘッドにより書き込むべき信号は回転トランス４により、下部ドラム２から上部ドラム３へ伝送される。下部ドラム２と上部ドラム３はシャフト６に取り付けられており、シャフトは下部ドラム２に固定されている。上部ドラム３はシャフト６に、２つのボールベアリング７ａ、７ｂによって取り付けられている。２つのボールベアリングはインナリング８ａ，８ｂとアウタリング９ａ，９ｂを有する。アウタリング９ａ、９ｂは上部ドラム３の円形シート１１ａ、１１ｂに収容されており、これらはシート１１ａ、１１ｂよりも小さな直径を有する孔部１２により接続されている。孔部１２はショルダ１３ａ、１３ｂ状の２つのリングを形成し、これらはボールベアリングのアウタリング９ａ、９ｂに対する支持または支承に用いられる。
【００１６】
以下の説明では図１ａと図１ｂを参照する。
【００１７】
回転トランス４はステータ１６とロータ１７を有する。ステータ１６はハブ１９の上に静止しており、このハブは下部ドラム２と共に１つの部材である。ハブ１９はリング状であり、ケーブルを収容するための切欠部２１を有する。ケーブルは例えばフレキシブルプリントケーブルであり、ステータを信号処理回路と接続する。ハブ１９はカラー２０として連続している。
【００１８】
カラー２０の内側表面はシャフト６と接触しており、その外側表面はステータ１６の内側表面と接触している。カラー２０は効率的にステータ１６を下部ドラム２の上にセンタリングする。ステータ１６は強固にハブ１９に固定される。これは例えば接着剤または他の従来公知の手段により行われる。
【００１９】
これとは反対にロータ１７はリング状のハブ２２の上に静止している。ロータ１７はハブに接着されておらず、また位置的にも機械的素子により固定されていないことを述べておく。ロータ１７はむしろ図示の位置を円形永久磁石２３により維持される。この円形永久磁石２３はリング形状の切欠部２４に、ロータ１７とボールベアリング７ｂとの間で配置されている。磁石２３の厚さは、磁石の外側端部から所定の距離で、磁石（図１ｂ）のアウタ位置２５とインナ位置２６を定義する半径方向で低減されている。磁石２３の外側部分２５だけがボールベアリング７ｂの回転アウタリング９ｂと接触している。従って磁石がフリクションを引く起こすことはない。
【００２０】
磁石２３は永久磁石磁界を発生し、磁石２３はベアリング７ａの他方のリング９ｂを吸着し、またロータ１７は磁石２３に吸着される。ロータ１７はリング状ハブ２２と接触しており、磁石により発生される吸着力によってハブに対して押圧されている。このようにしてロータ１７とハブ１２とは位置的に固定ではないが接続されている。磁石２３の上面は図１ｂでロータ１７の下面と接触している。内部分２６にはリング状のショルダ２７が設けられている。ショルダ２７の外側側壁はロータ１７の内部円周面と接触している。このようにして磁石２３のショルダ２７はロータ１７に対するセンタリング手段として用いられる。位置的に固定しない接続であってもロータ１７をその本来の位置に確実に維持するのに十分である。同時に永久磁石の磁界が、記録中または生成中の磁気テープの磁界を妨害または劣化させることはない。同様に読出し／書込みヘッドにより読出しまたは記録された信号も永久磁石２３の磁界により影響を受けない。
【００２１】
ステータ１６とロータ１７との間には、３０から４０μｍのギャップ（公差±１０μｍ）があり、これは図１ｂにだけ示されている。ギャップの値は、従来のように例えばスペーサにより決められる。構成体全体は相互に確実にディスクまたはプレロードブラス２８により保持されている。このディスクまたはプレロードブラスはシャフト６に固定されている。ディスク２８は、ベアリング７１，７ｂのインナリング８ａ、８ｂに対して圧力を及ぼす。この圧力は、ディスク２８をシャフト６でねじ切りすることにより、またはナット（図１ａには示されていない）によりねじ切りすることにより発生される。
【００２２】
上部ドラムは、図２には図示されていないモータにより駆動される。モータのロータは上部ドラムを駆動するよう接続されており、ねじ切り孔部２９にねじで固定されている。
【００２３】
本発明はまた、シャフトにより駆動される上部ドラムを有する他の形式のヘッドドラムに適用できることも明白である。本発明のヘッドドラムはどのような形式の磁気テープ装置でも使用することができる。
【図面の簡単な説明】
【図１ａ】
図１ａは、本発明のヘッドドラム構成体を示す。
【図１ｂ】
図１ｂは、図１ａの一部を拡大して示す。
【符号の説明】
１  ヘッドドラム構成体
２  下部ドラム
３  上部ドラム
４  回転トランス
６  シャフト
７ａ、７ｂ  ボールベアリング
８ａ、８ｂ  インナリング
９ａ、９ｂ  アウタリング
１１ａ、１１ｂ  シート
１２  孔部
１３ａ、１３ｂ  リング状ショルダ
１６  ステータ
１７  ロータ
１９  ハブ
２０  カラー
２１  切欠部
２２  ハブ
２３  磁石
２４  切欠部
２５  磁石の外側部分
２６  磁石の内側部分
２８  ディスク
２９  ねじ切られた穴
【国際公開パンフレット】
2004527867.tif 000003
2004527867.tif 000004
2004527867.tif 000005
2004527867.tif 000006
2004527867.tif 000007
2004527867.tif 000008
2004527867.tif 000009
2004527867.tif 000010
2004527867.tif 000011
2004527867.tif 000012
2004527867.tif 000013
2004527867.tif 000014
2004527867.tif 000015
【国際調査報告】
2004527867.tif 000016
2004527867.tif 000017
2004527867.tif 000018